(57)【要約】【課題】簡単な構成で異常発生に対処する。【解決手段】保護装置３０は、オーガモータＡＭの始動と同時にカウントを開始する遅延タイマを備える。遅延タイマのカウントアップにより、圧縮機ＣＭが起動して製氷運転が開始される。これと同時にショックリレーへの通電が開始され、これに内蔵した電流電圧変換器は、オーガモータＡＭからの電流変化を検出し、これを電圧変化に変換して出力する。オーガモータＡＭに過負荷が加わっておらず、電流電圧変換器からの出力電圧が、該モータＡＭの過負荷電流に応じた過負荷出力電圧でなければ、定常運転がそのまま続行される。これに対し、電流電圧変換器からの出力電圧が過負荷出力電圧であれば、オーガモータＡＭおよび圧縮機ＣＭの運転を停止する。【選択図】  図１
2004347266.tif 000002
【特許請求の範囲】
【請求項１】
圧縮機（ＣＭ）を備える冷凍系に接続する蒸発部（１２）が外表面に設けられて、内部に供給された製氷水を内壁面に氷結させる冷凍ケーシング（１０）と、該ケーシング（１０）の内部に回転可能に配設されてケーシング内壁面に氷結された氷を削り取りつつ移送するオーガスクリュー（１４）と、このオーガスクリュー（１４）を回転駆動するオーガモータ（ＡＭ）とを備え、前記オーガモータ（ＡＭ）によりオーガスクリュー（１４）を回転駆動した後に、前記圧縮機（ＣＭ）を起動して製氷運転を開始するよう構成したオーガ式製氷機において、
前記圧縮機（ＣＭ）の起動と共に異常監視を開始し、前記オーガモータ（ＡＭ）の定常運転中に発生した異常を検知したときに、該モータ（ＡＭ）を停止制御する保護手段（ＭＳ）を備えた
ことを特徴とするオーガ式製氷機の保護装置。
【請求項２】
前記オーガモータ（ＡＭ）の電流変化に応じた出力電圧を発生する電流電圧変換器（３６）を備え、前記保護手段（ＭＳ）は、前記圧縮機（ＣＭ）の起動と共に前記電流電圧変換器（３６）からの出力電圧の監視を開始し、前記オーガモータ（ＡＭ）の定常運転中に発生した過負荷電流に応じた出力電圧を検知したときに、該モータ（ＡＭ）を停止制御するよう設定される請求項１記載のオーガ式製氷機の保護装置。
【発明の詳細な説明】
【０００１】
【発明の属する技術分野】
この発明は、オーガ式製氷機の保護装置に関し、更に詳細には、冷凍ケーシングの内壁面に氷結させた氷を、オーガモータにより回転駆動されるオーガスクリューにより削り取りつつ移送するオーガ式製氷機の保護装置に関するものである。
【０００２】
【従来の技術】
従来より喫茶店やレストラン等の厨房では、所要形状の氷塊を製造する製氷機が、その用途や目的に応じて好適に使用されており、そのなかに、チップ氷やフレーク氷と云った小片状の氷塊を連続的に製造するオーガ式製氷機がある。このオーガ式製氷機では、円筒状の冷凍ケーシングの内部に製氷水を所定レベルで貯留した状態で製氷運転が開始されると、該ケーシングが冷凍系に接続する蒸発管を循環する冷媒により強制冷却されることで、製氷水がケーシング内壁面から徐々に氷結を始め、層状の薄氷が形成される。冷凍ケーシングの内部にはオーガスクリューが内挿されており、該オーガスクリューをオーガモータにより回転駆動することで、冷凍ケーシングの内壁面に氷結する薄氷はオーガスクリューで削り取られつつ上方に移送される。そして、オーガスクリューにより移送されるフレーク状氷が、冷凍ケーシングの上部内側に配設された押圧頭を通過する過程で圧縮されて水分が除去されることで圧縮氷が製造され、この得られた圧縮氷がストッカに放出貯留されるようになっている。
【０００３】
前記オーガ式製氷機では、製氷運転中における種々の原因により、前記オーガスクリューで移送されるフレーク状氷が、前記押圧頭を容易に通過できなくなる事態が発生することがある。この状態で製氷運転を継続すると、冷凍ケーシング内部の製氷水が全て凍結してしまったり、あるいは前記オーガモータが回転を続行しようとするために過大な負荷が掛かり、遂にはオーガモータ自体を焼損、破損または製氷機構の破損を招くおそれがある。
【０００４】
そこで、前記オーガモータの過負荷電流を検知して該モータを停止制御する保護装置を設けることで、前述した異常発生に対処するものがある（例えば、特許文献１）。
【０００５】
【特許文献１】
特公平４−２４６２５号公報
【０００６】
【発明が解決しようとする課題】
一般にモータの始動時は、定常運転への移行後に比べ過大な電流（始動電流）が流れるが、そのような定常運転時の電流よりも大きな始動電流が流れたからといって、その度にモータの運転を停止させることは実用的でない。従って、前記特許文献１においては、始動電流に対してオーガモータへの運転信号を継続して出力し、オーガモータの始動時以後の運転に生じた過負荷電流に基づいて該モータを停止制御するよう構成している。
【０００７】
すなわち、前記特許文献１においては、オーガモータの始動電流と、定常運転時の過負荷電流とを判別する回路を設けなければならず、保護装置の構成が複雑となり、該装置の故障発生のリスクが高くなる。また、製造コストが嵩む難点も指摘される。
【０００８】
【発明の目的】
本発明は、前述した従来の技術に係るオーガ式製氷機の保護装置に内在している前記欠点に鑑み、これを好適に解決するべく提案されたものであって、簡単な構成で異常発生に対処し得るオーガ式製氷機の保護装置を提供することを目的とする。
【０００９】
【課題を解決するための手段】
前記課題を解決し、所期の目的を達成するため、本発明に係るオーガ式製氷機の保護装置は、
圧縮機を備える冷凍系に接続する蒸発部が外表面に設けられて、内部に供給された製氷水を内壁面に氷結させる冷凍ケーシングと、該ケーシングの内部に回転可能に配設されてケーシング内壁面に氷結された氷を削り取りつつ移送するオーガスクリューと、このオーガスクリューを回転駆動するオーガモータとを備え、前記オーガモータによりオーガスクリューを回転駆動した後に、前記圧縮機を起動して製氷運転を開始するよう構成したオーガ式製氷機において、
前記圧縮機の起動と共に異常監視を開始し、前記オーガモータの定常運転中に発生した異常を検知したときに、該モータを停止制御する保護手段を備えたことを特徴とする。
【００１０】
【発明の実施の形態】
次に、本発明に係るオーガ式製氷機の保護装置につき、好適な実施例を挙げて、添付図面を参照しながら以下説明する。
【００１１】
図１は、実施例に係るオーガ式製氷機の概略構成を示すものであって、円筒状の冷凍ケーシング１０の外周に、冷凍系に連通する蒸発部としての蒸発管１２が密着的に巻回され、製氷運転時に冷媒を該蒸発管１２に循環させることにより、冷凍ケーシング１０を強制冷却するよう構成される。また、冷凍ケーシング１０には図示しない製氷水タンクから製氷水が所定レベルで供給され、製氷運転が開始されて冷凍ケーシング１０が強制冷却されることで、製氷水がケーシング内壁面から徐々に氷結を始め、層状の薄氷が形成されるようになっている。
【００１２】
前記冷凍ケーシング１０の内部にはオーガスクリュー１４が内挿され、その下軸部１４ａが、冷凍ケーシング１０の下部に配設した下軸受１６により回転可能に支持されると共に、上軸部１４ｂが、冷凍ケーシング１０の上部内側に配設された押圧頭１８に回転可能に支持され、製氷機下部に配設されたオーガモータＡＭによりオーガスクリュー１４が回転駆動されるようになっている。またオーガスクリュー１４には、冷凍ケーシング１０の内径より僅かに小さい外径の削切刃１４ｃが螺旋状に形成され、該ケーシング１０の内壁面に氷結する薄氷を、オーガモータＡＭにより回転されるオーガスクリュー１４の削切刃１４ｃで削り取りつつ上方に移送するよう構成される。
【００１３】
そして、前記オーガスクリュー１４により削り取られつつ上方に移送されるフレーク状氷が、前記押圧頭１８を通過する過程で圧縮されて水分が除去されることで圧縮氷が製造され、この得られた圧縮氷が、前記冷凍ケーシング１０の上部に配設されたストッカ（図示せず）に放出貯留されるようになっている。
【００１４】
前記冷凍系は、図１に示す如く、圧縮機ＣＭおよび凝縮器２０を備え、該圧縮機ＣＭで圧縮された高温の気化冷媒（ホットガス）は、管路２２を介して該凝縮器２０に流入するよう構成される。この凝縮器２０で凝縮された液化冷媒は、キャピラリーチューブ（図示せず）を介して前記蒸発管１２に流入し、その蒸発気化により前記冷凍ケーシング１０から気化熱を奪って該冷凍ケーシング１０を零度以下に冷却するよう構成される。また冷凍ケーシング１０を冷却した後の気化冷媒は、蒸発管１２から管路２４を介して前記圧縮機ＣＭに帰還し、以下そのサイクルを反復するようになっている。
【００１５】
前記圧縮機ＣＭと凝縮器２０とを結ぶ管路２２は、該凝縮器２０を迂回して蒸発管１２に直接連通するバイパス管２６を備え、該圧縮機ＣＭからの気化冷媒（ホットガス）をホットガス弁ＨＶの切換えにより、該蒸発管１２へ供給し得るよう構成される。すなわち、例えば冷凍ケーシング１０の過冷却により過成長した氷が前記オーガスクリュー１４の回転をロックした際に、ホットガス弁ＨＶを切換えてホットガスを蒸発管１２へ供給することで、その熱により前記ロックを解除し得るようになっている。
【００１６】
前記オーガー式製氷機は、その電気的制御の全般を統括するコントローラ２８と、前記オーガモータＡＭおよびこれにより回転駆動されるオーガスクリュー１４等を保護する保護装置３０とを備えている。図２は、実施例の保護装置３０を用いた保護回路の要部を示すものであって、電源母線に接続する主基板３２と、低電圧で駆動される制御基板３４とは、変圧器ＴＲにより電気的に分離されている。主基板３２の電源に接続する電源供給ラインＲと接続点Ｄとの間に主電源スイッチＳＷが介挿されると共に、この接続点Ｄと電源供給ラインＴとの間に圧縮機ＣＭと、リレーＸ２の常開接点Ｘ２−ａとが直列に接続される。また接続点Ｄに接続するオーガモータＡＭと電源供給ラインＴとの間に、リレーＸ４の常閉接点Ｘ４−ｂ、保護手段としてのショックリレーＭＳおよびリレーＸ１の常開接点Ｘ１−ａが直列接続される。なお、接続点ＤとリレーＸ４の常閉接点Ｘ４−ｂとの間に、リレーＸ３がオーガモータＡＭと並列の関係で介挿されている。
【００１７】
前記ショックリレーＭＳは、オーガモータＡＭの電流変化に応じた出力電圧を発生する電流電圧変換器３６（図３参照）を内蔵すると共に、該電流電圧変換器３６からの出力電圧に基づいてオーガモータＡＭを停止制御する機能を有している。すなわち、製氷運転中にオーガモータＡＭに予め設定された閾値以上の過負荷が加わると、該モータＡＭに流れる過負荷電流は、ショックリレーＭＳの電流電圧変換器３６により過負荷出力電圧として検出される。そして、この過負荷出力電圧の継続時間が、ショックリレーＭＳに予め設定したショックタイムを越えると、該ショックリレーＭＳが励磁され、これと協働する常開接点ＭＳ−ａがオン（閉成）することで、前記オーガモータＡＭへの通電を停止するよう設定されている。なお、ショックリレーＭＳは、過負荷出力電圧で動作した後、該過負荷出力電圧（過負荷電流）がなくなると、自動的に初期状態（常開接点ＭＳ−ａのオフ（開放））に復帰するよう構成される。
【００１８】
前記接続点Ｄと電源供給ラインＴとの間に、リレーＸ４の常開接点Ｘ４−ａとランプＬとが直列に接続される。またリレーＸ４の常開接点Ｘ４−ａと電源供給ラインＴとの間に、復帰タイマＴＭと、該復帰タイマＴＭの常閉接点ＴＭ−ｂに直列接続されるレリーＸ４とが並列の関係で接続されている。なお、接続点Ｄと復帰タイマＴＭの常閉接点ＴＭ−ｂとの間に、ショックリレーＭＳの常開接点ＭＳ−ａがリレーＸ４の常開接点Ｘ４−ａと並列の関係で介挿されている。前記復帰タイマＴＭは、後述する製氷機の異常停止後に、該製氷機を再起動させる再起動手段として機能するものであって、所定の再起動時間（例えば３０分）が設定されている。
【００１９】
前記制御基板３４には、オーガモータＡＭを運転制御するためのリレーＸ１および圧縮機ＣＭを運転制御するためのリレーＸ２が設けられており、該リレーＸ１は、前記主電源スイッチＳＷをオンした後に、所定の条件（例えばフロートスイッチＦＳがオン状態）が満たされたときに通電されて励磁するようになっている。この制御基板３４にはリレーＸ３の常開接点Ｘ３−ａが接続され、該常開接点Ｘ３−ａがオン（閉成）することでリレーＸ２への通電が可能な状態となるよう設定される。なお、制御基板３４には遅延タイマＤＴＭが搭載され、該遅延タイマＤＴＭは、前記オーガモータＡＭの始動と同時にカウントを開始し、所定時間後（例えば６０秒後）に、前記リレーＸ３の常開接点Ｘ３−ａとリレーＸ２との間に介挿した接点（図示せず）を閉成して、該リレーＸ２を励磁するよう構成されている（図３参照）。すなわち、この遅延タイマＤＴＭは、前記リレーＸ１が励磁されてからリレーＸ２が励磁されるまでの間、言い替えるとオーガモータＡＭが始動してから圧縮機ＣＭが起動するまでの間に、所定の遅延時間を設定するべく機能する。また遅延タイマＤＴＭに設定される遅延時間は、前記オーガモータＡＭが始動してから定常運転に移行するのに充分な時間に設定され、該モータＡＭの始動電流が前記電流電圧変換器３６で検出されないようにしてある。
【００２０】
前記オーガ式製氷機には、前記製氷水タンクに内蔵したフロートスイッチＦＳによりオン−オフ制御される給水弁ＷＶ（図４参照）が設けられ、該製氷水タンクに所定レベルで製氷水を貯留することで、前記冷凍ケーシング１０の内部に常に所定レベルで製氷水が供給されるよう構成してある。
【００２１】
【実施例の作用】
次に、実施例に係るオーガ式製氷機の保護装置の作用につき、図３および図４を参照して以下に説明する。
【００２２】
前記オーガ式製氷機を始動するため図４のステップＳ１で主電源スイッチＳＷを投入（オン）すると、ステップＳ２に移行して給水弁ＷＶがオンして、製氷水タンクへの給水を開始する。ステップＳ３において製氷水タンク内の水位が所定レベルに達することでフロートスイッチＦＳがオンしたか否かを判定し、該フロートスイッチＦＳがオン（ステップＳ３が肯定（ＹＥＳ））すれば、ステップＳ４で給水弁ＷＶをオフした後にステップＳ５に移行してオーガモータＡＭを始動（オン）する。すなわち、実施例ではフロートスイッチＦＳがオンすると同時に、図２に示す制御基板３４におけるリレーＸ１が励磁され、これと協働する常開接点Ｘ１−ａがオン（閉成）して、オーガモータＡＭへの通電が開始される。またリレーＸ３が励磁され、これと協働する常開接点Ｘ３−ａがオン（閉成）することで、制御基板３４の遅延タイマＤＴＭへの通電も同時に開始され、例えば６０秒の遅延時間のカウントを開始する。但し、このときには制御基板３４におけるリレーＸ２は励磁されず、前記圧縮機ＣＭは停止したままとなっている。
【００２３】
前記オーガモータＡＭへの通電が開始された後、ステップＳ６で前記遅延タイマＤＴＭがカウントアップすると、ステップＳ７に移行して圧縮器ＣＭが起動（オン）する。すなわち、遅延タイマＤＴＭのカウントアップにより制御基板３４に設けたリレーＸ２が励磁され、これと協働する常開接点Ｘ２−ａがオン（閉成）し、圧縮器ＣＭへの通電が開始され、これにより製氷運転が開始される（ステップＳ８）。これと同時にショックリレーＭＳへの通電が開始され、これに内蔵した電流電圧変換器３６は、監視対象であるオーガモータＡＭからの電流変化を検出し、これを電圧変化に変換して出力する（ステップＳ９）。そして、ステップＳ１０で、オーガモータＡＭに過負荷が加わっておらず、電流電圧変換器３６からの出力電圧が、該モータＡＭの過負荷電流に応じた過負荷出力電圧か否かを判定し、否定（ＮＯ）されれば定常運転がそのまま続行される。
【００２４】
前記製氷運転の開始により、前記冷凍ケーシング１０は蒸発管１２内を循環する冷媒と熱交換を行なって強制冷却され、前記製氷水タンクから冷凍ケーシング１０に供給される製氷水は、ケーシング内壁面から徐々に氷結を始め、層状の薄氷が形成される。この薄氷は、前記圧縮機ＣＭの起動に先立ちオーガモータＡＭにより回転駆動されているオーガスクリュー１４の削切刃１４ｃにより削り取られつつ上方に移送される。そして、該オーガスクリュー１４により移送されるフレーク状氷は、冷凍ケーシング１０の上部内側に配設した前記押圧頭１８を通過する際に圧縮され、得られた圧縮氷はストッカに放出貯留される。
【００２５】
前記製氷運転の継続により製氷水タンク内の製氷水が減少し、前記フロートスイッチＦＳがオフしたか否かをステップＳ１１で判定し、該ステップＳ１１が肯定（ＹＥＳ）されれば、ステップＳ１２に移行して前記給水弁ＷＶをオンして給水を再開する。そして、ステップＳ１３でフロートスイッチＦＳがオンしたことが肯定（ＹＥＳ）されると、ステップＳ１４に移行して給水弁ＷＶをオフする。
【００２６】
前記オーガ式製氷機の運転中に、例えばフレーク状氷が押圧頭１８を通過しなくなったり、氷の噛み込み等を生じて大きな機械的負荷がオーガモータＡＭに加わると、該モータＡＭに流れる電流は許容値を越えた過負荷電流となる。この過負荷電流は、前記電流電圧変換器３６において過負荷電圧に変換され、前記ステップＳ１０で肯定（ＹＥＳ）されることとなり、このときにはステップＳ１５に移行して機械全停止する。すなわち、前記電流電圧変換器３６において過負荷電圧に変換された出力電圧の継続時間が所定のショックタイムを越えると、前記ショックリレーＭＳが励磁される。するとショックリレーＭＳに協働する常開接点ＭＳ−ａがオン（閉成）し、リレーＸ４が励磁されて、これと協働する常閉接点Ｘ４−ｂがオフ（開放）し、前記オーガモータＡＭへの通電が絶たれて運転が停止される。また、前記常閉接点Ｘ４−ｂのオフにより前記リレーＸ３が消磁され、これと協働する常開接点Ｘ３−ａもオフされるため、リレーＸ２への通電が絶たれて、このと協働する常開接点Ｘ２−ｂがオフし、圧縮機ＣＭの運転が停止する。すなわち、冷凍ケーシング１０内の製氷水が全て凍結してしまったり、あるいはオーガスクリュー１４やオーガモータＡＭに過負荷が加わって破損したり焼損するのを未然に防止し得る。
【００２７】
なお、前記リレーＸ４の励磁により、これと協働する常開接点Ｘ４−ａがオン（閉成）して、前記ランプＬを点灯させ、異常発生を視覚的に警報する。但し、このとき前記リレーＸ１は励磁状態を維持して、これと協働する常開接点Ｘ１−ａはオンしている。
【００２８】
前記ショックリレーＭＳの常開接点ＭＳ−ａのオン動作に伴ない、復帰タイマＴＭへの通電が開始され、例えば３０分の設定時間のカウントを開始する。そして前記復帰タイマＴＭがカウントアップ（３０分後）すると、前記常閉接点ＴＭ−ｂが開放してリレーＸ４が消磁され、これと協働する常閉接点Ｘ４−ｂが再びオンする。前述したように異常発生に伴ない機械全停止しても、前記リレーＸ１と協働する常開接点Ｘ１−ａはオン状態を維持しているから、前記常閉接点Ｘ４−ｂのオンによりオーガモータＡＭへの通電が再開されて該モータＡＭが始動する。そして、前述したと同様に遅延タイマＤＴＭがカウントを開始し、６０秒後にリレーＸ２を励磁させることで常開接点Ｘ２−ａがオンし、圧縮器ＣＭが起動して製氷運転が自動的に再開される。すなわち、復帰タイマＴＭがカウントアップするまでの間で、異常原因が解消されれば、オーガ式製氷機の運転を自動的に再開することができ、例えばレストラン等の非営業時間に異常停止したまま氷が製造されず、営業開始時に氷不足を来たすのを防止することができる。
【００２９】
前述した実施例の保護装置３０では、オーガモータＡＭが始動した後に起動する圧縮機ＣＭの起動と同時に保護装置３０を稼働してオーガモータＡＭの過負荷電流（過負荷出力電圧）を監視（異常監視）するよう構成したから、オーガモータＡＭの始動電流と定常運転時の過負荷電流とを判別するための手段を用ける必要はなく、装置３０を簡略化して故障発生のリスクを低減し得る。また構成が簡単になることで、製造コストを低廉に抑えることができる。
【００３０】
ここで、前記オーガモータＡＭに過負荷が加わる原因の多くは、前述したようにオーガスクリュー１４で移送されるフレーク状氷が押圧頭１８を通過しなくなったり、冷凍ケーシング１０の過冷却により過成長した氷がオーガスクリュー１４の回転をロックする等、前記圧縮機ＣＭが起動して製氷運転が開始された後に発生するものである。そして、実施例では、これら異常が発生するおそれがある間のみ、前記オーガモータＡＭの過負荷電流（過負荷出力電圧）を監視するようにしたものであり、前述した異常が発生しない製氷運転前に無駄な監視を行なわないようにしたことで、装置構成の簡略化が可能となった。
【００３１】
【変更例】
実施例では、保護手段としてのショックリレーに電流電圧変換器を内蔵した構成で説明したが、該変換器を独立して設ける構成であってもよい。また保護手段としては、実施例のショックリレーに限定されるものでなく、電流電圧変換器から出力される過負荷出力電圧を検出してオーガモータを停止制御し得るものであれば、他の形式のものを採用し得る。更に、前記復帰タイマや遅延タイマに設定される時間は、実施例の数値に限定されるものでなく、使用条件等に応じて最適な値に変更可能である。なお、蒸発部は、実施例のような蒸発管に限らず、冷凍ケーシングを筒状体で覆い、その間に冷媒を供給するもの、その他各種の構成のものを採用し得る。
【００３２】
前記保護手段の監視対象としては、電流電圧変換器からの出力電圧に限定されるものでなく、オーガモータの回転数を検出する回転検出器からの検出値（回転数）であってもよい。なお、オーガ式製氷機が設置されている周囲温度が高い場合は、圧縮機が起動した後、冷凍ケーシングの温度が所定値まで低下したときに、保護手段が異常監視（電流電圧変換器からの出力電圧の監視等）を開始するようにしてもよい。すなわち、周囲温度が高い場合は、圧縮機が起動してもすぐには氷が製造されないから、圧縮機の起動に遅れて異常監視を開始しても問題を生じないからである。
【００３３】
【発明の効果】
以上に説明した如く、請求項１に係る発明のオーガ式製氷機の保護装置では、圧縮機の起動と共に異常監視を行なうよう構成したから、オーガモータの始動時に生ずる過負荷電流や回転数の変動等と、定常運転時の過負荷電流や回転数の変動等とを判別するための手段を設ける必要はなく、装置を簡略化して故障発生のリスクを低減し得る。また構成が簡単になることで、製造コストを低廉とし得る利点を有する。
【００３４】
請求項２に係る発明のオーガ式製氷機の保護装置では、オーガモータが始動した後に起動する圧縮機の起動と共にオーガモータの過負荷電流を監視するよう構成したから、オーガモータの始動電流と定常運転時の過負荷電流とを判別するための手段を設ける必要はなく、装置を簡略化して故障発生のリスクを低減し得る。また構成が簡単になることで、製造コストを低廉とし得る利点を有する。
【図面の簡単な説明】
【図１】本発明の好適な実施例に係る保護装置が採用されるオーガ式製氷機を示す概略図である。
【図２】実施例に係る保護装置の電気回路図である。
【図３】実施例に係るオーガ式製氷機を運転する場合のタイミングチャート図である。
【図４】実施例に係るオーガ式製氷機を運転する場合のフローチャート図である。
【符号の説明】
１０  冷凍ケーシング，１２  蒸発管（蒸発部），１４  オーガスクリュー
３６  電流電圧変換器，ＡＭ  オーガモータ，ＣＭ  圧縮機
ＭＳ  ショックリレー（保護手段）
【図１】
2004347266.tif 000003
【図２】
2004347266.tif 000004
【図３】
2004347266.tif 000005
【図４】
2004347266.tif 000006